(57)【要約】【課題】遊技盤を流下するパチンコ球が立体的な動きをすることが可能なパチンコ機を提供する。【解決手段】パチンコ機２は、盤面４ａが設けられた遊技盤４と、この前方に設けられた前面扉５とを備える。前面扉５には、透明板１０ａ，１０ｂが嵌め込まれ、盤面４ａの前面を覆っている。遊技盤４は、盤面４ａが前方へ凸となる球面形状に形成されており、透明板１０ａ，１０ｂは、遊技盤４の隆起に合わせた曲面状に形成されている。遊技盤４及び透明板１０ａ，１０ｂを曲面に形成しているので、技領域４ａを流下するパチンコ球７が、上下、左右の動きの他に、前後方向にも移動し、立体的な動きをすることができる。【選択図】図３
2009050534.tif 000002
【特許請求の範囲】
【請求項１】
遊技釘が設けられた盤面の少なくとも一部が前方へ隆起する遊技盤と、前記盤面に対して一定の隙間を置いて配され、前記遊技盤の隆起に合わせた曲面状に形成されており、前記盤面との間をパチンコ球が流下する遊技状態を露呈させる透明板とを備えたことを特徴とするパチンコ機。
【請求項２】
前記遊技盤は、前記盤面の中で、後方から前方へ向けて下降する曲面に遊技釘が設けられ、前記透明板は、前記盤面に対向する面の中で、前方から後方へ向けて下降する曲面に遊技釘が設けられていることを特徴とする請求項１記載のパチンコ機。
【発明の詳細な説明】
【技術分野】
【０００１】
本発明は、パチンコ店などの遊技場に設置されるパチンコ機に関するものである。
【背景技術】
【０００２】
遊技場に設置される遊技機としてパチンコ機がある。パチンコ機は、遊技釘や入賞口、役物などが設けられた遊技領域を有する遊技盤を備えており、発射装置で打ち出されたパチンコ球が遊技領域を流下することによって遊技が行われる。遊技領域の前面は、ガラス板や強化プラスチックプレートなどの透明板などによって覆われており、この透明板を介して遊技の状態を視認することが可能となっている。
【０００３】
遊技盤や、その前面に配された透明板は平面状に形成されていることが一般的であり、遊技盤の遊技領域へパチンコ球が打ち出されたとき、この透明板と遊技盤との間を流下する。なお、特許文献１に記載されているパチンコ機では、遊技盤の前面に配された透明板の一部が曲面に形成されているが、これはレンズ効果による視覚的な演出を行うための形状であってパチンコ球の動きには関係しない。
【特許文献１】特開２００６−１１６１０１号公報
【発明の開示】
【発明が解決しようとする課題】
【０００４】
パチンコ機では、遊技に興趣を持たせるために、遊技領域を流下するパチンコ球が変化に富んだ面白い動きをすることが望まれており、パチンコ球が役物に入賞したときは、羽根やクルーンなどの動作によってパチンコ球が様々な方向に移動することができる。しかしながら、役物内における移動を除くと、上述したような遊技盤と透明板との間を流下するパチンコ球は平面的な動きをするのみである。また、上記特許文献１に記載されたパチンコ機でも、パチンコ球が移動するのは、遊技盤と透明板に挟まれた平面的な空間であり、前後方向すなわち遊技盤の奥行き方向には移動することができなかった。
【０００５】
本発明は、上記背景を鑑みてなされたものであり、遊技盤を流下するパチンコ球が、遊技盤の奥行き方向を含む様々な方向に移動して立体的な動きをすることが可能なパチンコ機を提供することを目的とする。
【課題を解決するための手段】
【０００６】
上記目的を達成するために、本発明のパチンコ機は、遊技釘が設けられた盤面の少なくとも一部が前方へ隆起する遊技盤と、前記盤面に対して一定の隙間を置いて配され、前記遊技盤の隆起に合わせた曲面状に形成されており、前記盤面との間をパチンコ球が流下する遊技状態を露呈させる透明板とを備えたことを特徴とする。
【０００７】
なお、前記遊技盤は、前記盤面の中で、後方から前方へ向けて下降する曲面に遊技釘が設けられ、前記透明板は、前記盤面に対向する面の中で、前方から後方へ向けて下降する曲面に遊技釘が設けられていることが好ましい。
【発明の効果】
【０００８】
本発明によれば、遊技釘が設けられた盤面の少なくとも一部が前方へ隆起する遊技盤と、前記盤面に対して一定の隙間を置いて配され、前記遊技盤の隆起に合わせた曲面状に形成されており、前記盤面との間をパチンコ球が流下する遊技状態を露呈させる透明板とを備えているので、遊技盤を流下するパチンコ球が立体的な動きをすることができる。
【発明を実施するための最良の形態】
【０００９】
図１及び図２に示すように、パチンコ機２は、本体枠３の内部に遊技盤４が配設されており、本体枠３の前面には前面扉５が開閉自在に取り付けられている。また、遊技盤４の盤面４ａの略中央には、遊技中に様々な演出を行う役物９が設けられている。
【００１０】
遊技盤４は、詳しくは図３に示すように、盤面４ａが前方へ隆起している。前面扉５には、盤面４ａの前面を覆う部分に透明板１０ａ，１０ｂが嵌め込まれ、盤面４ａとの間をパチンコ球７が流下する遊技状態を露呈させる。この透明板１０ａ，１０ｂは、遊技盤４の隆起に合わせた曲面状に形成されている。なお、図３においては、図面の煩雑化を防ぐため、役物９及び内部機構の図示を省略している。
【００１１】
なお、パチンコ機２の下部には受け皿２１が、受け皿２１の下方には発射ハンドル２２が取り付けられており、発射ハンドル２２が回動されると、遊技盤４の左上隅に配置された発射装置２３から盤面４ａと透明板１０ａとの隙間へとパチンコ球７が発射される。また、発射装置２３は、図２に示すように、盤面４ａ、及び透明板１０ａ，１０ｂの前方へ隆起する部分の外側に配置されている。なお、発射装置２３の位置は、遊技盤４の左上隅の位置に限らず、従来のパチンコ機と同様に遊技盤の左下隅又は右下隅の位置にあってもよい。
【００１２】
遊技盤４は、本実施形態では、盤面４ａが前方へ凸となる球面形状に形成されており、盤面４ａの中心ＣＬが最も前方に隆起した位置となっている。透明板１０ａ，１０ｂは、遊技盤４とほぼ同じ曲率半径の球面状に形成されている。透明板１０ａは、遊技盤４に対して一定の隙間を置いて配設されている。さらに、透明板１０ａに対して間隔を置いて透明板１０ｂが配設されている。なお、本実施形態においては、前面扉５に２枚の透明板を備えているが、これに限らず、透明板は１枚でもよい。
【００１３】
図３に示すように、遊技盤４及び内側の透明板１０ａには、パチンコ球７と接触することにより転動させるための複数の遊技釘１５が設けられている。遊技釘１５は、周知の頭付きのものが使用され、先端側に位置する頭部１５ａと、それ以外の軸部１５ｂとからなり、軸部１５ｂよりも頭部１５ａの直径が大きく形成されている。
【００１４】
遊技盤４は、盤面４ａの中で後方から前方へ向けて下降する曲面に、複数の遊技釘１５が設けられている。この遊技盤４に設けられている遊技釘１５は、頭部１５ａを前方へ向けて配されている。一方、透明板１０ａは、盤面４ａに対向する内面側で前方から後方へ向けて下降する曲面に、複数の遊技釘１５が設けられている。この透明板１０ａに設けられている遊技釘１５は、頭部１５ａを遊技盤４へ向けて配されている。このような配置及び向きに遊技釘１５を設けることによって、パチンコ球７が遊技釘１５の軸部１５ｂに当接して転動しやすくなっている。これにより、遊技釘１５の頭部１５ａと、遊技盤４又は透明板１０ａの間にパチンコ球７が詰まることを抑制することができる。なお、外側の透明板１０ｂには遊技釘１５は設けられていない。
【００１５】
また、複数の遊技釘１５の一部を透明板１０ａに設ける構成とすることによって、この透明板１０ａを交換することで、遊技釘１５のレイアウト変更に対応することが可能であり、機種変更のときなどの部品交換を容易に行うことができる。
【００１６】
上記構成の作用について説明する。上述したように遊技盤４の盤面４ａを前方へ隆起する曲面に形成し、透明板１０ａ，１０ｂをそれに合わせた曲面に形成しているので、遊技盤及び透明板が平面状に形成された従来のパチンコ機と比較して、盤面４ａと透明板１０ａとの隙間を流下するパチンコ球７が、上下、左右の動きの他に、前後（奥行き）方向にも移動し、立体的な動きをすることができる。また、従来のパチンコ機の遊技盤に対して、上下及び左右幅の寸法が同じでも、前方に隆起している分だけ盤面４ａの表面積が大きくなっているため、遊技盤４に釘、入賞口、及び役物などをレイアウトする自由度が向上する。
【００１７】
上記実施形態においては、遊技盤４の盤面４ａ全体が前方へ隆起する球面形状に形成されているが、盤面の少なくとも一部が前方へ隆起する形状であればよく、例えば図４に示すように、盤面４ａの一部分４ｂが前方に隆起する形状とし、透明板１０ａ，１０ｂも盤面４ａに合わせた部分のみが隆起する形状としてもよい。
【００１８】
なお、上記実施形態においては、遊技盤４及び透明板１０ａ，１０ｂが、球面形状に形成されている例を示しているが、本発明はこれに限らず、遊技盤及び透明板が前方へ隆起する形状であればよく、例えば図５に示すように、遊技盤２４及び透明板２５の中央付近が前方へ突出する円柱状としてもよいし、図６に示すように、遊技板３４及び透明板３５が、上方から中央に向かって徐々に前方側に傾斜する斜面と、中央から下方に向かって徐々に後方側に傾斜する斜面とからなる山型の形状としてもよい。また、これらの形状に限らず、波型、あるいは、無作為な凹凸形状を有するものなど、遊技盤及び透明板が前方へ隆起する形状であればどのようなものでもよい。
【図面の簡単な説明】
【００１９】
【図１】本発明を実施したパチンコ機の正面側斜視図である。
【図２】パチンコ機の正面図である。
【図３】図２のＡ−Ａ線に沿って切断したパチンコ機の要部縦断面図である。
【図４】パチンコ機の第１変形例を示す斜視図である。
【図５】パチンコ機の第２変形例を示す斜視図である。
【図６】パチンコ機の第３変形例を示す要部縦断面図である
【符号の説明】
【００２０】
２  パチンコ機
４  遊技盤
４ａ  遊技領域
７  パチンコ球
９  役物
１０ａ，１０ｂ  透明板
１５  遊技釘
【図１】
2009050534.tif 000003
【図２】
2009050534.tif 000004
【図３】
2009050534.tif 000005
【図４】
2009050534.tif 000006
【図５】
2009050534.tif 000007
【図６】
2009050534.tif 000008